(57)【要約】【課題】タイムサーチで指定された時間位置に画像データが無かった場合には、記憶手段に記憶されている画像データを再生して音声データを生成することで、タイムサーチ時間の短縮を図り、かつ、指定されたタイムサーチ位置から迅速かつ確実に再生する。【解決手段】システムコントローラ２２は、入力されたタイムサーチ要求に基づいて、要求された時間位置にタイムサーチして再生を行う際に、要求された時間位置に画像データが無い場合には、フラッシュメモリ２３に予め記憶されている画像データを再生して、要求された時間位置からオーディオデータの再生を行う。この際、フラッシュメモリ２３に複数の画像データが記憶されている場合には、これら複数の画像データを予め設定されている一定時間間隔で切り換えながら順次表示する。【選択図】図１
2011054253.tif 000002
【特許請求の範囲】
【請求項１】
ＤＶＤ規格に準拠して光ディスクに記録された情報を再生可能な光ディスク装置であって、
予め画像データが記憶されている記憶手段と、
入力されたタイムサーチ要求に基づいて、要求された時間位置から再生を行う制御手段とを備え、
前記制御手段は、前記要求された時間位置に画像データが無い場合には、前記記憶手段に記憶されている画像データを再生して前記要求された時間位置から音声データの再生を行うことを特徴とする光ディスク装置。
【請求項２】
請求項１に記載の光ディスク装置において、
前記制御手段は、前記記憶手段に記憶されている画像データを再生する際、前記記憶手段に複数の画像データが記憶されている場合には、これら複数の画像データを予め設定されている一定時間間隔で切り換えながら順次表示することを特徴とする光ディスク装置。
【請求項３】
請求項１または請求項２に記載の光ディスク装置において、
前記記憶手段が不揮発性メモリであることを特徴とする光ディスク装置。
【請求項４】
請求項１ないし請求項３のいずれか１項に記載の光ディスク装置において、
前記ＤＶＤ規格がＤＶＤビデオ規格またはＤＶＤ−ＶＲ規格であることを特徴とする光ディスク装置。
【発明の詳細な説明】
【技術分野】
【０００１】
本発明は、ＤＶＤ規格に準拠して光ディスクに記録された情報を再生可能な光ディスク装置に係り、特に、指定された時間位置から再生するタイムサーチ機能を備えた光ディスク装置に関する。
【背景技術】
【０００２】
近年、映像や音声を録画・再生する装置として、光ディスク装置が普及している。光ディスク装置の記録媒体としては、ＤＶＤ（Digital Versatile Disc）の他、最近ではＢＤ（Blu-ray Disc）などもある。そして、このような光ディスクの特徴の１つとして、指定された時間位置から再生するタイムサーチ機能があり、その手法が種々提案されている。
【０００３】
ここで、ＤＶＤビデオ規格やＤＶＤ−ＶＲ規格に準拠したタイムサーチ機能では、静止画のスライドショー的なタイトルを再生時にタイムサーチを行うと、タイムサーチ先が静止画の無い箇所であった場合、静止画を表示するために、静止画のある位置まで引き戻されて再生を開始するため、指定された位置へのタイムサーチが出来なくなるといった問題があった。
【０００４】
例えば、図６に示すように、再生しているタイトル（コンテンツ）が例えば４０分のタイトルで、０秒地点に静止画Ａ、１分地点に静止画Ｂ、３９分地点に静止画Ｃ、その他は全てオーディオデータであるようなスライドショー的なタイトルである場合において、例えばＰ１１の位置を再生している時に、２０分地点（Ｐ１２）にタイムサーチすると、２０分地点（Ｐ１１）に静止画が無いため、従来は、静止画のある地点に戻り（この例では静止画Ｂに戻り）、そこから映像をデコードしてオーディオを再生することになる。
【０００５】
ところで、ＤＶＤビデオ規格に準拠した光ディスクにおいて、タイムサーチ先がスライドショーであり、オーディオデータのみであっても、当該オーディオデータに対応する静止画を出画できる機能を備えた光ディスク再生装置が提案されている（例えば、特許文献１参照）。この光ディスク再生装置は、タイムサーチ要求があると、解析されたサーチ時間に基づいてサーチ先アドレスが決定され、決定されたサーチ先アドレスのナビゲーション・パックが取得され、取得されたナビゲーション・パックにビデオデータが無かった場合には、前記取得されたナビゲーション・パックに含まれるデータサーチ情報からビデオデータを持つ前段ビデオ・オブジェクト・ユニットの先頭アドレスが取得され、取得された先頭アドレスのデータを読み込み、ナビゲーション・パックに含まれるデータサーチ情報のジェネラル情報に基づいてビデオデータのみが取得され、オーディオデータに対応する静止画が出画されるようになっている。
【０００６】
また、特許文献２に記載の記録媒体再生装置は、ＤＶＤ再生（コンテンツ本編の再生）が行われている状態でスキップまたはタイムサーチの操作があると、コンテンツ本編の再生を停止し、再生されていた記録位置（現在位置）に対応した静止画用ビデオデータをＤＶＤより再生し、それによる静止画ＣＭを表示する。そして、スキップまたはタイムサーチが終了するとき、スキップまたはタイムサーチされたＤＶＤの所定の記録位置からコンテンツ本編の再生を再開するようになっている。
【先行技術文献】
【特許文献】
【０００７】
【特許文献１】特開２００６−６６０２５号公報
【特許文献２】特開２００２−２９０８９７号公報
【発明の概要】
【発明が解決しようとする課題】
【０００８】
上記したように、特許文献１に記載の光ディスク再生装置は、取得されたナビゲーション・パックにビデオデータが無かった場合には、取得されたナビゲーション・パックに含まれるデータサーチ情報からビデオデータを持つ前段ビデオ・オブジェクト・ユニットの先頭アドレスを取得し、取得した先頭アドレスのデータを読み込んで再生するようになっている。すなわち、特許文献１に記載のものも、ビデオデータについては１個前のスライドショーの映像データに戻って再生することになる。つまり、図５に示すような静止画のスライドショー的なタイトルを再生時に、２０分地点にタイムサーチを行った場合には、静止画Ｂのある１分地点に戻ってビデオデータを再生することになる。
【０００９】
この場合、ＤＶＤビデオ規格の場合には、取得されたナビゲーション・パックに前段のビデオデータのアドレス情報が含まれているため、前段のビデオデータを取得することは比較的簡単であるが、ＤＶＤ−ＶＲ規格の場合には、取得されたリアルタイムデータインフォメーション・ジェネラルインフォメーション・パックに前段のビデオデータのアドレス情報が含まれていないため、タイムサーチ位置から順に遡ってビデオデータの位置を検索していく必要があり、ビデオデータを出画してタイムサーチを実施するまでに時間がかかるといった問題があった。
【００１０】
また、上記特許文献２に記載のものは、タイムサーチの操作があると、再生されていた記録位置に対応した静止画用ビデオデータをＤＶＤより再生するものである。つまり、上記特許文献２に記載のものは、静止画用ビデオデータがＤＶＤに記録されていることが動作の前提であり、そのような静止画用ビデオデータがＤＶＤに記憶されていなければ、タイムサーチ時に静止画用ビデオデータを表示することができない。
【００１１】
本発明はかかる問題点を解決すべく創案されたものであり、その目的は、タイムサーチで指定された時間位置に画像データが無かった場合には、記憶手段に記憶されている画像データを再生して音声データを生成することで、タイムサーチ時間の短縮を図るとともに、静止画のスライドショー的なタイトル（コンテンツ）であっても、指定されたタイムサーチ位置から迅速かつ確実に再生することのできる光ディスク装置を提供することにある。
【課題を解決するための手段】
【００１２】
上記課題を解決するため、本発明の光ディスク装置は、ＤＶＤ規格に準拠して光ディスクに記録された情報を再生可能な光ディスク装置であって、予め画像データが記憶されている記憶手段と、入力されたタイムサーチ要求に基づいて、要求された（指定された）時間位置から再生を行う制御手段とを備え、前記制御手段は、前記要求された（指定された）時間位置に画像データが無い場合には、前記記憶手段に記憶されている画像データを再生して前記要求された時間位置から音声データの再生を行うことを特徴としている。
【００１３】
本発明によれば、静止画のスライドショー的なタイトルを再生中にタイムサーチを行った場合において、タイムサーチ先が静止画の無い箇所であった場合でも、所望の画像データ（ビデオデータ）を表示させることでデコーダを動作させ、指定した時間位置からオーディオデータを再生することが可能となり、タイムサーチ時間を短縮することができる。
【００１４】
この場合、前記制御手段は、前記記憶手段に記憶されている画像データを再生する際、前記記憶手段に複数の画像データが記憶されている場合には、これら複数の画像データを、予め設定されている一定時間間隔で切り換えながら順次表示するように構成してもよい。このように構成することで、タイムサーチ時において、ユーザに変化に富んだ画像を見せることができる。また、前記記憶手段は、ＲＯＭやフラッシュメモリ等の不揮発性メモリである。
【００１５】
なお、本発明では、前記ＤＶＤ規格は、ＤＶＤビデオ規格またはＤＶＤ−ＲＶ規格である。これらの規格には、タイムサーチ機能が設けられており、本願発明は、これらＤＶＤビデオ規格またはＤＶＤ−ＲＶ規格に基づくタイムサーチ機能に関する発明である。
【発明の効果】
【００１６】
本発明は上記のように構成したので、例えば静止画のスライドショー的なタイトルを再生時にタイムサーチを行った場合において、タイムサーチ先が静止画の無い箇所であった場合でも、記憶手段から所望の画像データを再生することで、指定した時間位置からオーディオデータを再生することが可能となるため、迅速かつ確実にタイムサーチを行うことができるとともに、タイムサーチ時間を短縮することができる。
【図面の簡単な説明】
【００１７】
【図１】本発明の実施形態に係る光ディスク装置の機能ブロック図である。
【図２】本実施形態において、ＤＶＤ規格の一例であるＤＶＤビデオ規格に準拠した光ディスクに記録されるＶＯＢ（ビデオ・オブジェクト）のデータ構造を示す説明図である。
【図３】本実施形態において、ＤＶＤ規格の一例であるＤＶＤ−ＶＲ規格に準拠した光ディスクに記録されるＶＯＢ（ビデオ・オブジェクト）のデータ構造を示す説明図である。
【図４】本実施形態において、静止画のスライドショー的なタイトルを再生中にタイムサーチ操作を行った場合のタイムサーチ処理動作を示すフローチャートである。
【図５】本実施形態におけるタイムサーチ処理動作の動作例を示す説明図である。
【図６】従来のタイムサーチ処理動作の動作例を示す説明図である。
【発明を実施するための形態】
【００１８】
以下、本発明の実施形態について、図面を参照して説明する。
【００１９】
図１は、本発明の実施形態に係る光ディスク装置の機能ブロック図である。
【００２０】
この光ディスク装置は、光ディスク１を回転させるスピンドルモータ５と、光ディスク１に記録された情報を再生するためのレーザ光を出射すると共に光ディスク１からの反射光を受光する光ピックアップ２と、この光ピックアップ２を光ディスク１の半径方向に移動させるためのスレッド３と、システムコントローラ２２の指示に応じてスピンドルモータ５およびスレッド３を駆動すると共に光ピックアップ２に内蔵された対物レンズ（図示せず）を動かすことによりレーザ光の焦点位置を光ディスク１の記録面に対して垂直方向及び水平方向に移動させる制御を行うサーボ制御部４とを備えている。
【００２１】
また、この光ディスク装置は、光ディスク１の再生時に光ピックアップ２からの読取信号であるＲＦ信号を増幅するＲＦアンプ６と、このＲＦアンプ６から出力されたＲＦ信号をデジタルデータに変換した後に光ディスク１のデータフォーマットに応じた信号復調処理と誤り訂正処理を行って生成したデータをＲＡＭ７に格納するデジタル信号処理部８と、システムコントローラ２２の指示に応じてデジタル信号処理部８から出力されたデータストリームの中からオーディオデータとサブピクチャデータとビデオデータとを分離するストリーム分離部９とを備えている。
【００２２】
また、この光ディスク装置は、ストリーム分離部９から出力されたオーディオデータを入力して所定のデコード処理を行うオーディオデコーダ１１と、このオーディオデコーダ１１でのデコード処理を行うためにデータを一時的に格納するＲＡＭ１０と、ストリーム分離部９から出力されたサブピクチャデータを入力して所定のデコード処理を行うサブピクチャデコーダ１３と、このサブピクチャデコーダ１３でのデコード処理を行うためにデータを一時的に格納するＲＡＭ１２と、ストリーム分離部９から出力されたビデオデータを入力して所定のデコード処理を行うビデオデコーダ１５と、このビデオデコーダ１５でのデコード処理を行うためにデータを一時的に格納するＲＡＭ１４とを備えている。
【００２３】
また、この光ディスク装置は、システムコントローラ２２の指示に応じてビデオデコーダ１５から出力されたデータとサブピクチャデコーダ１３から出力されたデータとを合成するビデオプロセッサ１７と、このビデオプロセッサ１７から出力された合成データを表示用のビデオ信号に変換して画像をディスプレイ装置２０に表示させるビデオエンコーダ１８と、オーディオデコーダ１１から出力されたデータをアナログのオーディオ信号に変換して例えばスピーカ１９に供給するＤ／Ａ変換器１６とを備えている。
【００２４】
また、この光ディスク装置は、システムコントローラ２２に対して、再生指示を与えるための再生キーや、再生停止を指示するための停止キーなどの各種操作キーを有する操作部２１と、装置全体を制御する前記システムコントローラ２２とを備えている。なお、操作部２１は、リモートコントローラであっても良いし、装置本体の操作パネルに設けられた操作部であっても良い。
【００２５】
また、この光ディスク装置は、装置の各構成要素を制御したり、装置全体を制御したりするためのプログラムやデータが記憶されたフラッシュメモリ２３と、このフラッシュメモリ２３のプログラムやデータに従って演算処理を行いシステムコントローラ２２を制御するＣＰＵ２４と、データを一時的に格納するＲＡＭ２５とを備えている。
【００２６】
また、フラッシュメモリ２３には、本実施形態の特徴であるタイムサーチ用のビデオデータ（画像データ）が所定の領域に記憶されている。このビデオデータは、ユーザによって予め登録されたものであってもよいし、装置自体に予め用意されているものであってもよい。また、このビデオデータは複数用意されていてもよい。さらに、このビデオデータは、静止画に限らず、動画であってもよい。
【００２７】
システムコントローラ２２は、本実施形態の特徴とする構成要素として、ユーザからのタイムサーチ要求に応答してサーチ時間の解析を行なうサーチ時間解析手段２２１と、解析されたサーチ時間に基づいてサーチ先アドレスを決定するサーチ先アドレス決定手段２２２と、決定されたサーチ先アドレスのナビゲーション・パックを取得するナビゲーション・パック取得手段２２３と、取得されたナビゲーション・パックの内容を検索してビデオデータが無かった場合に、フラッシュメモリ２３に記憶されているタイムサーチ用のビデオデータを取得するビデオデータ取得手段２２４と、取得した画素データを再生するとともに、タイムサーチ指定時間からのアドレスに基づいて読み出されたオーディオデータ（音声データ）を再生する再生制御手段２２５とを備えている。
【００２８】
図２は、本実施形態において、ＤＶＤ規格の一例であるＤＶＤビデオ規格に準拠した光ディスクに記録されるＶＯＢ（ビデオ・オブジェクト）のデータ構造を示す説明図である。
【００２９】
図２において、ＶＯＢは複数のセルによって構成されており、各セルは複数のＶＯＢＵ（ビデオ・オブジェクト・ユニット）によって構成されている。各ＶＯＢＵ（ビデオ・オブジェクト・ユニット）は、ＮＶ＿ＰＣＫ（ナビゲーション・パック）と、Ｖ＿ＰＣＫ（ビデオ・パック）と、ＳＰ＿ＰＣＫ（サブピクチャ・パック）と、Ａ＿ＰＣＫ（オーディオ・パック）との少なくとも１つを含んでいる。
【００３０】
ＮＶ＿ＰＣＫ（ナビゲーション・パック）情報は、ＰＣＩ（再生制御情報）とＤＳＩ（データサーチ情報）を含んで構成されている。ＰＣＩ（再生制御情報）とＤＳＩ（データサーチ情報）には、ＶＯＢＵ（ビデオ・オブジェクト・ユニット）のデータ量、タイトルの再生を開始してから対応するＶＯＢＵ（ビデオ・オブジェクト・ユニット）の再生を開始するまでの再生時間、次に再生すべきＶＯＢＵ（ビデオ・オブジェクト・ユニット）の位置などの情報が設定されている。また、ＤＳＩ（データサーチ情報）には、ビデオデータを持つ前段ＶＯＢＵの先頭アドレスを示すＢＷＤＩ（バックワード情報）が含まれている。なお、ＰＣＩ（再生制御情報）には、当該光ディスクがレジューム再生可能である場合は、レジューム再生が可能であることを判別するためのレジューム可能情報も含まれる。
【００３１】
Ｖ＿ＰＣＫ（ビデオ・パック）と、ＳＰ＿ＰＣＫ（サブピクチャ・パック）と、Ａ＿ＰＣＫ（オーディオ・パック）とは、それぞれ再生データの種別（動画、サブ・ピクチャ、オーディオ）などの情報が含まれているパックヘッダ、パケットヘッダや、データ圧縮された圧縮再生データ（ビデオデータ、サブピクチャデータ、オーディオデータ）を含んで構成されている。
【００３２】
図３は、本実施形態において、ＤＶＤ規格の一例であるＤＶＤ−ＶＲ規格に準拠した光ディスクに記録されるＶＯＢ（ビデオ・オブジェクト）のデータ構造を示す説明図である。
【００３３】
図３において、ＶＯＢは複数のセルによって構成されており、各セルは複数のＶＯＢＵ（ビデオ・オブジェクト・ユニット）によって構成されている。各ＶＯＢＵ（ビデオ・オブジェクト・ユニット）は、ＲＤＩ＿ＰＣＫ（リアルタイムデータインフォメーション・ジェネラルインフォメーション・パック）と、Ｖ＿ＰＣＫ（ビデオ・パック）と、ＳＰ＿ＰＣＫ（サブピクチャ・パック）と、Ａ＿ＰＣＫ（オーディオ・パック）との少なくとも１つを含んでいる。
【００３４】
ＲＤＩ＿ＰＣＫ（リアルタイムデータインフォメーション・ジェネラルインフォメーション・パック）は、再生時間情報、再生制御情報及びコピー制御情報を含んで構成されており、ＭＰＥＧ規格に準拠したパックヘッダ、システムヘッダ、パケットヘッダ、サブストリームＩＤ、及びリアルタイムインフォメーションデータを含んでいる。さらに、リアルタイムインフォメーションデータには、再生時間情報を含むＲＤＩ＿ＧＩ、再生制御情報及びコピー制御情報を含むＤＣＩ＿ＣＣＩなどが含まれている。
【００３５】
次に、上記構成の光ディスク装置において、静止画のスライドショー的なタイトルを再生中にタイムサーチ操作を行った場合のタイムサーチ処理動作について、図４に示すフローチャート、及び図５に示す動作例を参照して説明する。ただし、ここではＤＶＤビデオ規格に準拠した光ディスクを再生しているときのタイムサーチ処理動作を例に挙げて説明する。
【００３６】
図５に示すように、再生しているタイトル（コンテンツ）が、例えば４０分のタイトルで、０秒地点に静止画Ａ、１分地点に静止画Ｂ、３９分地点に静止画Ｃ、その他は全て音声データであるとする。
【００３７】
このようなタイトルの再生中において、例えば図５においてＰ１の位置を再生している時に、ユーザが操作部２１を操作して、例えば２０分地点（Ｐ２）へのタイムサーチ要求を行うと、タイムサーチの処理が開始され（ステップＳ１）、このタイムサーチの処理に応答して、サーチ時間がシステムコントローラ２２のサーチ時間解析手段２２１により解析される（ステップＳ２）。そして、この解析されたサーチ時間（２０分地点）に基づいてサーチ先アドレスがサーチ先アドレス決定手段２２２により決定され（ステップＳ３）、決定されたサーチ先アドレスのＮＶ＿ＰＣＫ（ナビゲーション・パック）が、ナビゲーション・パック取得手段２２３により取得される（ステップＳ４）。
【００３８】
そして、取得されたＮＶ＿ＰＣＫ（ナビゲーション・パック）に基づいてビデオデータが有るか否かが検索され（ステップＳ５）、ビデオデータが無かった場合（ステップＳ５でＮｏと判断された場合）には、フラッシュメモリ２３の所定の領域に記憶されているビデオデータがビデオデータ取得手段２２４により取得される（ステップＳ６）。
【００３９】
そして、再生制御手段２２５により、取得されたビデオデータがビデオデコーダ１５に転送され、デコード処理されてビデオプロセッサ１７からビデオエンコーダ１８を経てディスプレイ装置２０に表示されるとともに（ステップＳ７）、タイムサーチ指定時間である２０分地点（Ｐ２）のアドレスに基づいて光ディスク１からオーディオデータが読み出され、オーディオデコーダ１１でデコード処理され、Ｄ／Ａ変換器１６でアナログデータに変換されてスピーカ１９に出力される（ステップＳ８）。その結果、ＤＶＤビデオ規格に準拠した光ディスク１において、タイムサーチ先がスライドショーであり、オーディオデータのみであっても、ディスプレイ装置２０にはフラッシュメモリ２３から読み出されたビデオデータが表示され、タイムサーチ指定時間である２０分地点（Ｐ２）からオーディオデータの再生が行われることになる。
【００４０】
一方、ステップＳ５において、取得されたＮＶ＿ＰＣＫ（ナビゲーション・パック）に基づいてビデオデータ有りと判定された場合（Ｙｅｓと判断された場合）には、従来通り、ＮＶ＿ＰＣＫ（ナビゲーション・パック）に含まれるデータサーチ情報のジェネラル情報に基づいてビデオデータがビデオデータ取得手段２２４により取得され、再生制御手段２２５により、取得されたビデオデータがビデオデコーダ１５に転送され、デコード処理されてビデオプロセッサ１７からビデオエンコーダ１８を経てディスプレイ装置２０に表示されるとともに（ステップＳ７）、タイムサーチ指定時間である２０分地点（Ｐ２）のアドレスに基づいて光ディスク１からオーディオデータが読み出され、オーディオデコーダ１１でデコード処理され、Ｄ／Ａ変換器１６でアナログデータに変換されてスピーカ１９に出力される。
【００４１】
なお、上記したタイムサーチ処理動作の説明では、フラッシュメモリ２３から取得されるビデオデータについては特に限定していない。すなわち、フラッシュメモリ２３に記憶されているビデオデータが静止画である場合には、タイムサーチ中、その静止画が表示され、フラッシュメモリ２３に記憶されているビデオデータが動画である場合には、タイムサーチ中、その動画が表示されることになる。また、フラッシュメモリ２３に複数のビデオデータが記憶されている場合には、システムコントローラ２２は、それらのビデオデータを予め設定されている一定時間（例えば２秒等）の間隔で切り換えながら順次表示するように構成してもよい。このように構成することで、タイムサーチ時において、ユーザに変化に富んだ画像を見せることができる。
【００４２】
また、上記したタイムサーチ処理動作では、ＤＶＤビデオ規格に準拠した光ディスクを再生しているときのタイムサーチ処理動作について説明しているが、ＤＶＤ−ＶＲ規格に準拠した光ディスクを再生しているときのタイムサーチ処理動作の場合は、ステップＳ４，ステップＳ５の処理動作がＤＶＤビデオ規格の場合と異なっている。すなわち、ＤＶＤ−ＶＲ規格では、上記ステップＳ４において、決定されたサーチ先アドレスのＲＤＩ＿ＰＣＫ（リアルタイムデータインフォメーション・ジェネラルインフォメーション・パック）が取得され、ステップＳ５において、その取得されたＲＤＩ＿ＰＣＫ（リアルタイムデータインフォメーション・ジェネラルインフォメーション・パック）に基づいてビデオデータが有るか否かが検索されることになる。そのため、システムコントローラ２２は、図示は省略しているが、図１に示したナビゲーション・パック取得手段２２３の他に、リアルタイムデータインフォメーション・ジェネラルインフォメーション・パック取得手段を備えている。
【００４３】
以上説明したように、本実施形態によれば、ＤＶＤビデオ規格に準拠した光ディスクにおいて、タイムサーチ先がスライドショーであり、オーディオデータのみであって、タイムサーチで指定された時間位置にビデオデータが無かった場合でも、フラッシュメモリ２３に記憶されているビデオデータを再生することでビデオデコーダ１５を動作させ、指定された時間位置にタイムサーチしてオーディオデータを再生することができるので、タイムサーチ時間を短縮することができる。また、静止画等のスライドショー的なタイトルであっても、指定されたタイムサーチの時間位置から迅速かつ確実にオーディオデータを再生することができる。
【符号の説明】
【００４４】
１  光ディスク
２  光ピックアップ
３  スレッド
４  サーボ制御部
５  スピンドルモータ
６  ＲＦアンプ
７，１０，１２  ＲＡＭ
８  デジタル信号処理部
９  ストリーム分離部
１１  オーディオデコーダ
１３  サブピクチャデコーダ
１５  ビデオデコーダ
１６  Ｄ／Ａ変換器
１７  ビデオプロセッサ
１８  ビデオエンコーダ
１９  スピーカ
２０  ディスプレイ装置
２１  操作部
２２  システムコントローラ
２３  フラッシュメモリ
２４  ＣＰＵ
２５  ＲＡＭ
２２１  サーチ時間解析手段
２２２  サーチ先アドレス決定手段
２２３  ナビゲーション・パック取得手段
２２４  ビデオデータ取得手段
２２５  再生制御手段
【図１】
2011054253.tif 000003
【図２】
2011054253.tif 000004
【図３】
2011054253.tif 000005
【図４】
2011054253.tif 000006
【図５】
2011054253.tif 000007
【図６】
2011054253.tif 000008